(57)【要約】【課題】本発明は、電子機器における表面温度分布の調節方法に関して、電子機器における表面温度の局所的な上昇を抑制することを目的とする。【解決手段】電子機器の外装ケース１と、この外装ケース１内に納められた発熱電子部品３と、外装ケース１の内側に設けられ発熱電子部品３から発する局所的な熱を所定範囲に分散させるグラファイトシート５からなり、発熱電子部品３と対峙するグラファイトシート５領域に貫通孔６を設けるとともに、この貫通孔６の孔径を調節して電子機器の表面温度を調節するのである。【選択図】図３
2006203018.tif 000002
【特許請求の範囲】
【請求項１】
電子機器の外装ケースと、この外装ケース内に納められた発熱電子部品と、外装ケースの内側に設けられ前記発熱電子部品から発する局所的な熱を所定範囲に分散させるグラファイトシートからなり、前記発熱電子部品と対峙する前記グラファイトシート領域に貫通孔を設けるとともに、この貫通孔の孔径を調節することを特徴とした電子機器における表面温度分布の調節方法。
【請求項２】
貫通孔を複数設け、前記貫通孔の配置および孔径を調節することを特徴とした請求項１に記載の電子機器における表面温度分布の調節方法。
【請求項３】
グラファイトシートに設けられた貫通孔周辺を発熱電子部品に当接させたことを特徴とする請求項１に記載の電子機器における表面温度分布の調節方法。
【発明の詳細な説明】
【技術分野】
【０００１】
本発明は、発熱電子部品を有する電子機器における表面温度分布の調節方法に関する。
【背景技術】
【０００２】
一般に携帯電話やノート型パソコンなどのモバイル型電子機器においては、外装ケースの表面温度に対して所定の温度以下となるように規定が設けられている。
【０００３】
そして、このような規定に対応するため電子機器において回路形成に用いられるパワーアンプやＬＳＩといった発熱電子部品と対峙する外装ケースの内側面に熱伝導性の高いグラファイトシートを貼り付けることが知られている。
【０００４】
なお、この出願の発明に関連する先行技術文献情報としては、例えば、特許文献１が知られている。
【特許文献１】特開平１０−２２９２８７号公報
【発明の開示】
【発明が解決しようとする課題】
【０００５】
しかしながら、携帯電話やノート型パソコンに見られるように電子機器の薄型化が進められる中、発熱電子部品と外装ケースとの間隔が極めて小さくなってきていることや、電子機器の高性能化に伴う発熱電子部品自体の発熱量が増加していることがあり、単に外装ケースの内側面にグラファイトシートを貼り付けても、発熱電子部品と対峙する部分に対する十分な熱分散を行うことが困難なものとなってきた。
【０００６】
そこで、本発明は電子機器における表面温度の局所的な上昇を抑制することを目的とする。
【課題を解決するための手段】
【０００７】
そして、この目的を達成するために本発明は、特に電子機器における発熱電子部品と対峙するグラファイトシート領域に貫通孔を設けるとともに、この貫通孔の孔径を調節して電子機器の表面温度を調節するのである。
【発明の効果】
【０００８】
この方法によれば、発熱電子部品から発せられる局所的な熱はグラファイトシートにより熱分散できるとともに、外装ケースと最も近接し表面温度に上昇が激しい発熱電子部品との対峙領域においてグラファイトシートに貫通孔が設けられるため、この部分においてはグラファイトシートより熱伝導性の低い空気が介在するようになるため、この貫通孔の孔径を調節することにより、外装ケースの部分的な温度上昇を調節できるようになり、電子機器における表面温度の局所的な上昇を抑制することが出来るのである。
【発明を実施するための最良の形態】
【０００９】
以下、本発明の一実施形態について図を用いながら説明する。
【００１０】
図１は携帯電話などの電子機器の構造を模式的に表したものであり、電子機器の外表面を形成する外装ケース１の内部において配線基板２上に送信回路用のパワーアンプなどの発熱電子部品３および各種電子部品４が実装された構造を示している。
【００１１】
また、この電子機器においては、発熱電子部品３の発熱により外装ケース１の表面が局所的に温度上昇しないようにするため、この発熱電子部品３と対峙する領域を含む外装ケース１の内側面に熱伝導性の高いグラファイトシート５が貼り付けられている。
【００１２】
なお、グラファイトシート５としてはポリイミド等の高分子樹脂シートを１２００度以上の温度で炭化させ、その後、２６００度以上の温度でグラファイト化し、図２に示されるように炭素が２次元的に密な結合した炭素層の多層構造体とし、炭素の結合面内において高い熱電導特性を示すものや、膨張黒鉛をシート状に成形したものや、グラファイトファイバーをシート状に成形したものなどが挙げられる。
【００１３】
そして、この電子機器においてはグラファイトシート５における発熱電子部品３と対峙する領域内に貫通孔６が形成されており、この貫通孔６を設けることで電子機器の表面温度分布、つまり外装ケース１の表面温度分布を調節し、電子機器における表面温度の局所的な上昇を抑制することが出来るのである。
【００１４】
すなわち、発熱電子部品３の位置と外装ケース１の温度分布は図３に示されるように電子機器におけるグラファイトシート５の有無やグラファイトシート５における貫通孔６の有無により温度分布が変化するもので、発熱電子部品３と外装ケース１との間にグラファイトシート５を設けていない構成においては、破線ａで示すように発熱電子部品の対峙提示する直上領域が極端に温度が高くなり他の部分が低い状態となる。
【００１５】
また、発熱電子部品３と外装ケース１の間の一面にグラファイトシート５を設けた構成においては、破線ｂで示されるようにグラファイトシート５に熱伝導性により温度分布がグラファイトシート５を設けていない破線ａの温度分布に比べピーク温度が下がった状態で平均化される。
【００１６】
ただし、グラファイトシート５はシート面内方向に対する熱伝導性は高いもののシート厚み方向においてもある程度の熱伝導性を有することから、破線ａの温度分布に比べ平均化されるものの、熱源となる発熱電子部品３との距離が近い発熱電子部品３の直上部分において他の部分よりも温度上昇が大きくなっている。
【００１７】
これらに対し、発熱電子部品３と外装ケース１の間にグラファイトシート５を設け、発熱電子部品３と対峙するグラファイトシート５領域に貫通孔６を設けた構成においては、実線ｃで示されるように、破線ｂにおけるピーク温度部分が下がったものとなる。
【００１８】
これは発熱電子部品３と対峙する領域に貫通孔６を設けたことによるもので、グラファイトシート５は先にも述べたようにシート面内方向において２次元的に密に結合した炭素層の多層構造体であるため、シート面内方向において高い熱伝導性を有するものであるが、多層方向においてもある程度の熱伝導性を有するため、この部分に貫通孔６を設けることで空間が生じグラファイトシート５より熱伝導性の低い空気で満たされるので、この部分における温度上昇を抑制できるのである。
【００１９】
つまり、発熱電子部品３の直上に位置するグラファイトシート５領域に貫通孔６を設けることは、グラファイトシート５により発熱電子部品３と対峙する領域において局所的な温度上昇を分散させ温度分布をシート内で均一化させることに併せて、ピーク温度を低減させることが出来るのである。
【００２０】
なお、グラファイトシート５に貫通孔６を設けるにあたっては、図４に示されるように貫通孔６の孔径が大きければ実線ｄに示すように貫通孔６の内側領域において再びピーク温度を形成し、孔径が小さければ破線ｅに示すようにピーク温度の引き下げ幅が小さくなってしまうことから、部品形状に応じて貫通孔６の孔径を適宜調整し、電子機器の表面温度分布を調節する必要があるのである。
【００２１】
また、発熱電子部品３形状が大きく単一の貫通孔６だけでは温度分布特性を調整し難い場合には図５に示すように貫通孔６を複数設けることでピーク温度をさらに分散させることができ、この分散状態において個々の貫通孔６の孔径を調整することで、より細かな調整が可能となるのである。
【００２２】
さらに、電子機器の表面温度分布を調節できることから、電子機器の薄型化の際発熱電子部品３と外装ケース１との間隔をより小さなものと出来るようになり、ひいては外装ケース１の内側面に貼り付けられたグラファイトシート５表面を発熱電子部品３に当接させることも可能となる。
【００２３】
この場合、発熱電子部品３から生じる熱はグラファイトシート５による熱分散効果と、直上領域においても貫通孔６を設けることにより生じた空間によりその部分における温度上昇の抑制効果を得ることが出来るとともに、発熱電子部品３がグラファイトシート５と接していることからこの発熱電子部品３の放熱効果の向上が期待できるものとなる。
【産業上の利用可能性】
【００２４】
本発明は、電子機器における表面温度分布の調節方法に関し、電子機器における表面温度の局所的な上昇を抑制するという効果を有し、特にモバイル用途の電子機器に有用である。
【図面の簡単な説明】
【００２５】
【図１】本発明の一実施形態における電子機器の模式図
【図２】同電子機器に用いられるグラファイトシートの構造を示す模式図
【図３】同電子機器の表面温度分布を示す図
【図４】同電子機器の表面温度分布の調整方法を示す図
【図５】他の調整方法を示す図
【符号の説明】
【００２６】
１  外装ケース
３  発熱電子部品
５  グラファイトシート
６  貫通孔
【図１】
2006203018.tif 000003
【図２】
2006203018.tif 000004
【図３】
2006203018.tif 000005
【図４】
2006203018.tif 000006
【図５】
2006203018.tif 000007